(57)【要約】【課題】折り畳んだ状態で納品されても、保持片の角部の跡が包装用箱の表面に出ない包装用箱を提供する。【解決手段】一枚の板状体を複数回折曲して箱体を構成し、該箱体の内部に商品を収容する包装用箱であって、該板状体の一部に該商品を該箱体内で保持する保持片と該保持片を該箱体に固定する糊付け部とを備え、且つ該保持片と該糊付け部との連接部の少なくとも一方の端に切り込みを設けることを特徴とする包装用箱である。【選択図】図１
2010023858.tif 000002
【特許請求の範囲】
【請求項１】
一枚の板状体を複数回折曲して箱体を構成し、該箱体の内部に商品を収容する包装用箱であって、該板状体の一部に該商品を該箱体内で保持する保持片と該保持片を該箱体に固定する糊付け部とを備え、且つ該保持片と該糊付け部との連接部の少なくとも一方の端に切り込みを設けることを特徴とする包装用箱。
【請求項２】
前記切り込みの長さが、該保持片の最大辺の長さの０．０１〜０．２倍である請求項１に記載の包装用箱。
【請求項３】
前記保持片と前記糊付け部との連接部側の糊付け部の少なくとも一方の角部が丸みを有してなる請求項１又は２に記載の包装用箱。
【発明の詳細な説明】
【技術分野】
【０００１】
本発明は、固形物、粉体、粒体又は液体を収容した筒状容器、多角柱状容器、瓶体容器等の商品を包装する包装用箱に関し、特に口紅、香水、マニキュア等の化粧品を好適に包装する包装用箱に関する。
【背景技術】
【０００２】
従来より、化粧品等の商品は、包装用箱に収容され、化粧品店、薬局、スーパーマーケット、コンビニエンスストア等において陳列され、セルフ方式で販売される場合がある。
そして、このような、包装用箱は、収容している商品を目立たせたりして、その商品をアピールしたり、見栄えよくしたりしている。
例えば、特許文献１においては、一枚の板状体を組み立ててなり、底部に所定高さの立設片が設けられた包装用箱が提案されている。この包装用箱では、商品をその立設片に載せた状態で収容包装できるようになっているため、その商品を大きく見せることができ、その結果、その商品の見栄えをよくすることができるものである。
また、特許文献２においては、一枚の板状体を組み立ててなり、長尺側面部の下端側から箱体の内部に向けて斜めに折返される物品支持片が設けられた物品包装体が提案されている。
これらの一枚の板状体を組み立ててなる包装用箱は、通常折り畳んだ状態で納品され、工場内の箱詰め工程で商品が詰め込まれて最終商品となる。
しかしながら、折り畳んだ状態で納品される包装用箱が上述の立設片や物品支持片等の片を有すると、折り畳んだ状態での圧により、片の角部の跡が包装用箱の表面に出て、包装用箱の美感を損なう場合がある。
【０００３】
【特許文献１】特開２００２−３４７７５２号公報
【特許文献２】特開２００５−１４５５４６号公報
【発明の開示】
【発明が解決しようとする課題】
【０００４】
本発明は、一枚の板状体を複数回折曲して箱体を構成し、且つ板状体の一部に商品を該箱体内で保持する保持片を有する包装用箱において、折り畳んだ状態で納品されても、保持片の角部の跡が包装用箱の表面に出ない包装用箱を提供することを課題とする。
【課題を解決するための手段】
【０００５】
本発明者は、前記課題を達成するために研究を重ねた結果、保持片の形状を改良することにより保持片の角部の跡が包装用箱の表面に出なくなることを見出した。本発明は、かかる知見に基づいて完成したものである。
すなわち、本発明は、一枚の板状体を複数回折曲して箱体を構成し、該箱体の内部に商品を収容する包装用箱であって、該板状体の一部に該商品を該箱体内で保持する保持片と該保持片を該箱体に固定する糊付け部とを備え、且つ該保持片と該糊付け部との連接部の少なくとも一方の端に切り込みを設けることを特徴とする包装用箱である。
【発明の効果】
【０００６】
本発明により、一枚の板状体を複数回折曲して箱体を構成し、且つ板状体の一部に商品を該箱体内で保持する保持片を有する包装用箱において、折り畳んだ状態で納品されても、保持片の角部の跡が包装用箱の表面に出ない包装用箱を提供することができる。
【発明を実施するための最良の形態】
【０００７】
本発明の包装用箱の実施の形態について、図面を参照して説明する。図１は、本発明の包装用箱の一実施態様を示す展開図である。
図１に示す本発明の第１の実施態様である包装用箱１は、一枚の板状体からなり、正面部１１、正面部１１と対向する背面部１２並びに正面部１１及び背面部１２に連接し且つ互いに対向する側面部１３及び１３'とから構成される本体部１０、背面部１２に連接する糊付け部２０、糊付け部２０に連接する保持片３０、正面部１１に連接する上蓋片５０、上蓋差込片５１、側面部１３及び１３'に連接する上蓋折返片５３及び５３'、正面部１１に連接する下蓋片６０、下蓋差込片６１、並びに側面部１３及び１３'に連接する下蓋折返片６３及び６３'とからなる。
上記の本体部１０、糊付け部２０、保持片３０、上蓋片５０、上蓋折返片５３及び５３'、下蓋片６０、並びに下蓋折返片６３及び６３'を組み立てて、箱体が形成される。
なお、図１中の破線は折込線である。
【０００８】
図１に示すように、本発明の包装用箱１は、一枚の板状体を複数回折曲して箱体を構成し、箱体の内部に商品を収容するものであり、板状体の一部に商品を箱体内で保持する保持片３０と保持片３０を箱体に固定する糊付け部２０とを備え、且つ保持片３０と糊付け部２０の連接部４０の少なくとも一方の端４１又は４１'に、好ましくは両端４１及び４１'に切り込みを設けることを特徴とする。連接部４０の端４１及び／又は４１'に切り込みを設けることにより、保持片３０を糊付け部２０から折り返したとき保持片３０と糊付け部２０との連接部４０の端４１及び／又は４１'が膨らまないので、保持片３０の対応する角部３２及び／又は３２'の跡が包装用箱の表面、特に正面部の表面に出ることを効果的に防止できる。
【０００９】
本発明の包装用箱１においては、上記の保持片３０と糊付け部２０の連接部４０の端４１及び／又は４１'に設けられた切り込みの長さＮが、保持片３０の最大辺の長さＭの０．０１〜０．２倍であることが好ましく、０．０２〜０．２倍であることが更に好ましい。０．０１倍以上であれば、保持片３０の角部３２及び／又は３２'の跡の包装用箱表面への表出を好適に防止することができ、０．２倍以下であれば、保持片３０の商品保持性を好適に確保できるからである。ここで、連接部４０の両端４１及び４１'に切り込みを設ける場合、端４１に設けられた切り込みの長さＮと端４１'に設けられた切り込みの長さＮとは同じでも良いし、異なっていても良い。
【００１０】
なお、切り込みの長さＮの測定については、連接部４０の端４１又は４１'において、糊付け部２０側から測定した切り込み長さと保持片３０側から測定した切り込み長さとが異なる場合は短い方の長さを切り込みの長さＮとする。また、後述するように保持片３０と糊付け部２０との連接部側の糊付け部２０の角部２１又は２１'が丸みを有しているとき、あるいはそれに対応する保持片３０の角部３２又は３２'が丸みを有しているときは、丸みによる保持片３０と糊付け部２０との離間開始点から切り込みの到達点までの長さを切り込み長さとする。
【００１１】
図１においては、上蓋片５０及び下蓋片６０は正面部１１に連接し、上蓋折返片５３及び５３'と下蓋折返片６３及び６３'とは側面部１３及び１３'に連接しているが、上蓋片５０及び下蓋片６０は背面部１２、側面部１３又は側面部１３'に連接していても良いし、上蓋折返片５３及び５３'と下蓋折返片６３及び６３'とは正面部１１又は背面部１２に連接していても良い。
また、上蓋片５０が正面部１１に連接し、下蓋片６０が背面部１２に連接するというように、又はその逆のように、上蓋片５０と下蓋片６０とが本体部１０の異なった部位と連接していても良い。
更に、図１に示すように、上蓋片５０の一部は折り込まれて上蓋差込片５１となり、下蓋片６０の一部は折り込まれて下蓋差込片６１となることが好ましい。箱体の形状を安定させるためである。
また、上蓋片５０及び／又は下蓋片６０にＬ字状又は直線状の切り込みを設けても良い。これらは、閉止した蓋のロック機構であり、これらのロック機構により箱体の形状は更に安定することとなる。
【００１２】
図２は、図１に示す板状体を組み立てた包装用箱の斜視図である。図１に示す板状体の破線で示された折込線を全て谷折りに折り込んで箱体に形成することにより本発明の第１の実施態様である包装用箱１が得られる。
【００１３】
図３は、商品７０を収容した状態を表わした、図２のＡ部分における断面図である。
図１及び図３においては、糊付け部２０は背面部１２に連接しているが、正面部１１、側面部１３又は側面部１３'に連接していても良い。ここで、糊付け部２０が背面部１２に連接していると、図３に示すように側面部１３'の端面が背面部１２側となり正面部１１側からは見えなくなるため、包装用箱の美感を高め、商品７０の商品価値がより高くなり好ましい。
糊付け部２０は、正面部１１、背面部１２、側面部１３又は側面部１３'の裏面（箱体の内側）と接着剤により貼り合わされて保持片３０と糊付け部２０との連接部４０を箱体内面に固定する。保持片３０は連接部４０において固定されるが、連接部４０と反対側の辺は可動するので、商品を保持することができる。
【００１４】
本発明において、保持片３０は、糊付け部２０となす角度が鋭角に折り畳まれて用いられるが、図３に示すように、保持片３０は、好ましくは糊付け部２０となす角度が４５°より小さい鋭角、更に好ましくは糊付け部２０となす角度が３５°より小さい鋭角に折り畳まれることが良い。これにより、その反発力を利用して保持片３０とそれと対向する箱体内面とで商品７０を好適に保持することができる。
商品７０の形状に合わせて糊付け部２０の幅及び／又は保持片３０の幅を調整することにより、断面形状が太いものから細いものまで種々の断面形状を有する商品７０を好適に保持することができる。これにより、包装用箱１の形状設計の自由度も上がるので好ましい。
本発明において、保持片３０は商品７０を保持する手段であるが、箱体内の仕切りとして用いても良い。例えば、２つの物品を分けて収容する場合等があるからである。
【００１５】
次いで、図１の展開図に示す板状体を折り込んで図２の包装用箱１を製造する過程を示して、本発明を更に説明する。
図４は、図１に示す板状体を折り曲げて包装用箱を製造する過程を示す模式図である。また、図５は、図４に示す折り曲げられた板状体を更に折り曲げて包装用箱を製造する過程を示す模式図である。図４及び図５の過程を経て図６に示すように組み立てられる。図６は、折り曲げられた板状体により箱体が形成され、上蓋片、上蓋折返片、下蓋片及び下蓋差込片が閉じられる前の状態を示す模式図である。糊付け部２０及び保持片３０は破線により示されている。本発明の包装用箱１は、一枚の板状体の片側同一面を全て谷折にして複数回折曲することにより簡便に箱体に組み立てられるので生産性が高く、コストも低くできる。
【００１６】
次に、本発明の第２の実施態様である包装用箱１を説明する。図７は、本発明の包装用箱１の第２の実施態様を示す展開図である。本発明の第２の実施態様は、一枚の板状体を複数回折曲して箱体を構成し、箱体の内部に商品７０を収容する包装用箱１であって、板状体の一部に商品７０を箱体内で保持する保持片３０と保持片３０を箱体に固定する糊付け部２０とを備え、且つ保持片３０と糊付け部２０の連接部４０の両端４１及び４１'に切り込みを設ける点では本発明の第１の実施態様と同様である。但し、本発明の第１の実施態様において、保持片３０と糊付け部２０との連接部４０の長さと比較して保持片３０の辺の長さの方が短くなっているのに対して、本発明の第２の実施態様においては、連接部４０の長さと保持片３０の辺の長さとが同一であり、保持片３０の辺の長さが一定になっている。これにより本発明の第１の実施態様と同様な効果を奏することができると共に保持片３０の曲げ弾性を高くすることができる。
【００１７】
更に、本発明の第３の実施態様である包装用箱１を説明する。図８は、本発明の包装用箱１の第３の実施態様を示す展開図である。本発明の第３の実施態様は、一枚の板状体を複数回折曲して箱体を構成し、箱体の内部に商品７０を収容する包装用箱１であって、板状体の一部に商品７０を箱体内で保持する保持片３０と保持片３０を箱体に固定する糊付け部２０とを備え、且つ保持片３０と糊付け部２０の連接部４０の両端４１及び４１'に切り込みを設ける点では本発明の第１の実施態様と同様である。但し、本発明の第１の実施態様において、保持片３０と糊付け部２０との連接部４０の長さと比較して保持片３０の辺の長さの方が短くなっているのに対して、本発明の第３の実施態様においては、保持片３０と糊付け部２０との連接部４０の少なくとも一方の端４１及び／又は４１'よりそれに対応する保持片３０の端部３１及び／又は３１'が突出していることを特徴とする。保持片３０の端部３１及び／又は３１'が突出していることにより、保持片３０を糊付け部２０から折り返したとき保持片３０と糊付け部２０との連接部４０の端４１及び／又は４１'が更に膨らみにくくなるので、保持片３０の角部３２及び／又は３２'の跡が包装用箱の表面に出ることを更に効果的に防止できることとなる。
【００１８】
上記の保持片３０の端部３１及び／又は３１'の突出長さＬが、保持片３０の最大辺の長さＭの０．０１〜０．２倍であることが好ましく、０．０２〜０．２倍であることが更に好ましい。０．０１倍以上であれば、保持片３０の角部３２、３２'の跡の包装用箱表面への表出を好適に防止することができ、０．２倍以下であれば、保持片３０の商品保持性を好適に確保できるからである。なお、両端部３１及び３１'に突出を設ける場合、端部３１の突出長さＬと端部３１'の突出長さＬとは同じでも良いし、異なっていても良い。
【００１９】
本発明においては、保持片３０と糊付け部２０との連接部４０側の糊付け部２０の少なくとも一方の角部２１及び／又は２１'が丸みを有していることが好ましい。角部２１及び／又は２１'が丸みを有することにより、保持片３０の角部の跡の包装用箱表面への表出、特に正面部１１表面への表出を更に効果的に防止することができる。
糊付け部２０の角部２１及び／又は２１'の丸みの曲率半径Ｒは、連接部４０の切り込み長さＮの０．１〜２倍程度が好ましい。この範囲であれば、箱体としての形状を維持しながら上記の効果を奏することができるからである。なお、角部２１及び２１'の双方に丸みを設ける場合、角部２１の丸みの曲率半径Ｒと角部２１'の丸みの曲率半径Ｒとは同じであっても良いし、異なっていても良い。
【００２０】
また、本発明において、図１、７及び８に示すように、保持片３０の角部３２、３２'、３２''、３２'''が丸みを有していることが好ましい。これらの丸みにより、商品７０を収容するときに商品７０が保持片３０に引っかかることを避けることができ、商品７０の傷や変形を防ぐことができるからである。
【００２１】
なお、保持片と糊付け部との連接部側の糊付け部の角部２１又は２１'が丸みを有しているとき、あるいはそれに対応する保持片の角部３２又は３２'が丸みを有しているときは、丸みによる保持片３０と糊付け部２０との離間開始点から保持片３０の端までの保持片３０の辺方向長さを突出長さＬとする。
【００２２】
図９は、比較例の包装用箱１を示す展開図である。この比較例の包装用箱１においては、保持片３０と糊付け部２０との連接部４０の両端４１及び４１'に切り込みがなく、保持片３０の端部３１及び３１'が突出せず、逆に連接部４０の長さと比較して保持片３０の辺の長さの方が短くなっているので、連接部４０の両端４１及び４１'が膨らみ易くなり、保持片３０の角部３２及び３２'の跡が包装用箱の表面に出てしまう結果となる。これにより包装用箱１の美感を損ねることとなる。
【００２３】
本発明における板状体の材質としては、例えば、板紙、クラフト紙等の包装用紙、合成紙、プラスチックシート等が挙げられる。プラスチックシートとしては、例えばポリエチレンテレフタレートもしくはその共重合体、ポリプロピレンもしくはその共重合体、ポリスチレンもしくはその共重合体、あるいはこれらの積層体等が挙げられる。包装用箱の美感を高めるため、金属、金属酸化物、酸化ケイ素等による表面蒸着、金属箔等の積層、樹脂等の表面コーテイングなどにより板状体を加飾することが好ましい。係る加飾された板状体において、保持片の角部の跡が包装用箱の表面に出ないようにする本発明の効果が特に顕著に発揮されることとなる。板状体の厚さとしては、０．０５〜１ｍｍ程度であることが好ましい。
なお、糊付け部２０と本体部１０とを接着する接着剤としては、板状体を接着でき、はがれにくくするものであれば、何でも良い。例えば、カゼイン系、天然ゴム系、デンプン系、膠系、フィブリン系等の天然系接着剤、各種樹脂系、合成ゴム系等の合成系接着剤が挙げられ、取り扱いが簡便である点で感圧性接着剤が好ましい。
【００２４】
以上、本発明の包装用箱１が直方体の場合を例示して説明したが、本発明の包装用箱１は何ら直方体に限定されるものではなく、折り畳まれた状態で納入されるものであれば、５角柱体、６角柱体、７角柱体、８角柱体等の多角柱体や一部の面が曲面である箱体であっても良く、本発明の目的を損なわない範囲で種々の形状を採り得る。
【実施例】
【００２５】
本発明を実施例により、更に詳細に説明するが、本発明は、これらの例によってなんら限定されるものではない。
なお、包装用箱の変形率の評価は以下の方法により行った。
供試包装用箱を畳んだ状態で１０枚重ねた上から、垂直方向に１００Ｎの圧力をかけた後、各包装用箱の正面部の変形、即ち保持片の角部の跡の正面部への表出の有無を目視により観察した。得られた結果を以下の基準により判定した。
◎：  包装用箱の正面部が変形し、保持片の角部の跡が包装用箱の正面部表面に出た包装用箱の数が１０個中、４以下である。
○：  包装用箱の正面部が変形し、保持片の角部の跡が包装用箱の正面部表面に出た包装用箱の数が１０個中、５〜６である。
△：  包装用箱の正面部が変形し、保持片の角部の跡が包装用箱の正面部表面に出た包装用箱の数が１０個中、７〜８である。
×：  包装用箱の正面部が変形し、保持片の角部の跡が包装用箱の正面部表面に出た包装用箱の数が１０個中、９以上である。
【００２６】
実施例１〜４及び比較例１
実施例１としては図８の包装用箱の保持片３０の端部３１の突出長さＬを６ｍｍとしたものを、実施例２としては図８の包装用箱の保持片３０の端部３１の突出長さＬを３ｍｍとしたものを、実施例３及び４としては図８の包装用箱から保持片３０の端部３１の突出をなくし、且つ連接部側の糊付け部の角部の丸みをなくしたものを、比較例１として図９の包装用箱を用いた。いずれの包装用箱も、正面部１１及び背面部１２の幅２０ｍｍ、側面部１３の幅１５．５ｍｍ、側面部１３'の幅１４．８ｍｍ、糊付け部２０の幅１１ｍｍ、保持片３０の幅１３ｍｍ、包装用箱の高さ８７ｍｍであった。実施例１〜４及び比較例１の包装用箱の詳細な構成を第１表に示す。なお、板状体として表面に金属箔を貼着したクラフト紙（厚さ０．３ｍｍ）を用いた。
これら５種類の包装用箱について、包装用箱の変形率の評価を行った。結果及び判定を第１表に示す。
【００２７】
【表１】
2010023858.tif 000003
【００２８】
第１表から明らかなように、保持片３０と糊付け部２０との連接部３０の両端４１及び４１'に切り込みを設けた実施例１〜４の包装用箱は、比較例１の包装用箱と比較して、包装用箱の正面部が変形しにくく、保持片の角部の跡が包装用箱の正面部の表面に出ないので、美感に優れ、商品価値の高いものであった。
【産業上の利用可能性】
【００２９】
本発明の包装用箱は、各種筒状体、多角柱体、瓶体等の容器に入った商品であって、口紅、香水、マニキュア等の化粧品やトリートメント、ヘアカラー、ヘアマニキュア等のヘアケア商品等を収容する包装用箱として好適に用いられる。
【図面の簡単な説明】
【００３０】
【図１】本発明の包装用箱の一実施態様を示す展開図である。
【図２】図１に示す板状体を組み立てた包装用箱の斜視図である。
【図３】商品を収容した状態を表わした、図２のＡ部分における断面図である。
【図４】図１に示す板状体を折り曲げて包装用箱商品を製造する過程を示す模式図である。
【図５】図４に示す折り曲げられた板状体を更に折り曲げて包装用箱を製造する過程を示す模式図である
【図６】折り曲げられた板状体により箱体が形成され、上蓋片、上蓋折返片、下蓋片及び下蓋差込片が閉じられる前の状態を示す模式図である
【図７】本発明の包装用箱の他の実施態様を示す展開図である。
【図８】本発明の包装用箱の他の実施態様を示す展開図である。
【図９】比較例の包装用箱を示す展開図である。
【符号の説明】
【００３１】
１              包装用箱
１０            本体部
１１            正面部
１２            背面部
１３、１３'    側面部
２０            糊付け部
２１、２１'    保持片と糊付け部との連接部側の糊付け部の角部
３０            保持片
３１、３１'    保持片の端部
３２、３２'、３２''、３２'''    保持片の角部
４０            保持片と糊付け部との連接部
４１、４１'    保持片と糊付け部との連接部の端
５０            上蓋片
５１            上蓋差込片
５３、５３'    上蓋折返片
６０            下蓋片
６１            下蓋差込片
６３、６３'    下蓋折返片
７０            商品
Ｎ              保持片と糊付け部との連接部の端の切り込み長さ
Ｍ              保持片の最大辺の長さ
Ｌ              保持片の端部の突出長さ
【図１】
2010023858.tif 000004
【図２】
2010023858.tif 000005
【図３】
2010023858.tif 000006
【図４】
2010023858.tif 000007
【図５】
2010023858.tif 000008
【図６】
2010023858.tif 000009
【図７】
2010023858.tif 000010
【図８】
2010023858.tif 000011
【図９】
2010023858.tif 000012